(57)【要約】【課題】蓋と、蓋を係留する蓋つなぎ部、および小型電子記録体などの薄い小型の材具を収納する、材具収納部とを具え、携帯無線通信端末の外側面に装着し、当該携帯無線通信端末と当該材具とを一体にして携行可能にする、蓋付き材具収納具を提供する。【解決手段】ヒンジを介在し蓋つなぎ部につながれた蓋と、蓋つなぎ部から延在する材具収納部と蓋止め部とを具え、携帯無線通信端末の外側面に付設又は装着し、小型の材具を当該通信端末に付随可能とし、材具収納部の底面部を無くし、又は蓋をシート状部材とし、蓋付きでありながら、当該材具収納具の厚みを極力薄く成し、さらに材具保護縁部を設ける、蓋の縁部を接着係止する、蓋又は材具収納部と材具とを係止するなどの材具保護手段を講じ、通信端末を使用する際、周囲に引っ掛かり難く、材具を汚染や破損から保護し、片手でも簡単に出し入れ可能な、蓋付き材具収納具を考案した。【選択図】　　図１
0003099721.tif 000002
【実用新案登録請求の範囲】
【請求項１】
蓋と、蓋を係留する蓋つなぎ部、および小型電子記録体、写真、紙などの材具を収納する材具収納部とを具え、
携帯無線通信端末の外側面に付設、又は装着し、
当該携帯無線通信端末に前記材具を付随して携行可能にする構造であることを特徴とする、蓋付き材具収納具。
【請求項２】
前記材具収納部が、前記材具を保護する保護縁部で構成され、前記材具を載せる底面部が無く、
装着する先の携帯無線通信端末の外側面を直接底部となす、請求項１に記載する、蓋付き材具収納具。
【請求項３】
前記材具収納部が、前記底面部と材具保護縁部より成り、前記底面部および、又は、前記保護縁部と、装着する先の携帯無線通信端末の外側面との間に接着剤層又は装着具が介在する、請求項１に記載する、蓋付き材具収納具。
【請求項４】
前記蓋が可撓性を有するフィルム又はシート又は金属箔又は紙又は布又は不織布から成り、
材具保護縁部の上面と蓋の裏面との間に剥離および再接着可能な接着手段もしくは装着手段を展在させて蓋の係止部となし、
蓋をめくり、開閉および係止する構造とする、請求項１ないし３に記載する、蓋付き材具収納具。
【請求項５】
前記蓋つなぎ部が、前記底面部の延長部分と、前記蓋の一辺とを接着して構成され、
当該接着部分が、前記蓋と前記底面部とが最初に接する個所を境にして、前記底面部と対称する側に延在し、および前記携帯無線通信端末の外側面に接着もしくは装着され、
開蓋時、前記蓋に引張力が加わる状態に至るとき、前記底面部と前記携帯無線通信端末の外側面との間に介在する接着もしくは装着に対し、引き剥がす力が及ぶ場合においても、前記蓋つなぎ部が前記引き剥がす力に抵抗する、接着もしくは装着した抵抗部分として働くことを特徴とする、請求項１ないし４に記載する、蓋付き材具収納具。
【請求項６】
前記蓋と、前記材具収納部が連続し、又は連結しており、前記材具が一部分を東ねた複数枚の紙又はフィルム状の部材から成り、
前記材具保護縁部が無く、
前記蓋の開閉側の前記材具に向く面に接着層を具え、前記束ねた部分が前記蓋の前記接着層下に近在し、
前記材具の底辺が前記材具収納部に係止し、
前記蓋の開閉側が前記材具に接着すると前記材具の前記束ねた部分と一体に係止し、閉蓋状態を保持する、請求項４および５に記載する、蓋付き材具収納具。
【請求項７】
前記蓋が、前記材具より広く、前記材具の外側に延在しており、
前記材具保護縁部が無く、
当該延在部と、前記材具収納部又は前記携帯無線通信端末との間に、接着層、もしくは装着具を介在し、
前記延在部が、前記材具収納部又は前記携帯無線通信端末に係止し、又は剥離して、前記蓋の開閉を可能にすることにより、
前記材具の収納、および保護、および出し入れを簡易にする、請求項５に記載する、蓋付き材具収納具。
【請求項８】
前記蓋の相対する側部と、材具保護縁部とが互いに係合し、前記蓋側部と、前記保護縁部の、係合する面のいずれか一方に突出部、他方に長溝を設け、
又は、双方の面に突出部もしくはレール状突出縁を設け、
前記蓋が、突出部又は長溝又はレール状突出縁の延在方向にスライドする構造である、請求項１ないし３に記載する、蓋付き材具収納具。
【請求項９】
前記蓋の一部分と、前記蓋つなぎ部が回転軸によって連結され、
蓋が水平方向に回動することで開閉可能にする、請求項１ないし３に記載する、蓋付き材具収納具。
【請求項１０】
少なくとも、前記蓋の四方に延在する辺のうち、一辺に開閉側を配し、
前記開閉側に直交する左右の辺に、相対するヒンジ部と、前記ヒンジ部に連結した一対のアームとを具え、
前記アームの、前記ヒンジ部に連結していない他方の先端から別のヒンジ部を介在して、
前記蓋つなぎ部又は前記材具収納部に連結し、
前記左右の辺の、前記開閉側に相対する辺の近傍に、左右に突出もしくは切り欠かれた蓋軸部を具え、
前記左右の辺の外側に、平行する蓋軸部摺動サッシュを配設し、
前記蓋軸部が、前記蓋軸部摺動サッシュに係合して摺動することにより、前記蓋が開閉し、更にあおり開いて、前記蓋の裏面が表面に向くことも可能となる、請求項１ないし３に記載する、蓋付き材具収納具。
【請求項１１】
前記蓋の裏側にメモ用部材を装着した、請求項７に記載する、蓋付き材具収納具。
【請求項１２】
前記材具保護縁部の一部に前記材具取り出し用の切り欠きを設けた、請求項１ないし５、および請求項８、９に記載する、蓋付き材具収納具。
【考案の詳細な説明】
【０００１】
【考案の属する技術分野】
本考案は、携帯無線通信端末に付設又は装着し、小型電子記録体、写真、紙などの材具を収納し、蓋、保護縁部で保護すると共に、当該材具を片手で前記通信端末の周囲に引っかかりにくい、薄形の蓋付き材具収納具に関する。
【０００２】
【従来の技術】
従来、スマートメディアと名づけられているような小型の電子記録体や写真、メモ用紙などの比較的薄形で小型の材具を、それぞれ、ほぼ専用に収納する収納容器が存在する。又、一つのケースに携帯無線通信端末と、前記材具とを一緒に収納可能にした例がある。又、携帯無線通信端末の外装に、メモ用紙を、接着剤もしくは装着具を用いて、露出状態にて直かに貼りつける例もある。又、携帯無線通信端末の内部に収納スペースを設け、その中に前記材具を収納可能にした例もある。さらに携帯端末の背面に軸状の連結具を接着し、当該連結具に回動自在のメモ紙ホルダー板を装着する例もある。
【０００３】
【考案が解決しようとする課題】
しかし、これらの従来の収納容器、およびメモ用紙貼着手段、材具収納手段には、以下のような欠点がある。
まず、前記小型電子記録体や写真、メモ用紙、などの材具をほぼ専用に収納する収納容器は、それらの材具に関しては、収納性、保管性共にその機能をおおむね補っている場合が多いが、携帯無線通信端末とは別体となっている為、該当通信端末と共に携行する際、例えば当該通信端末を使用しながら前記材具を用いる必要が生じた場合、空いている方の手により別の場所に入っている収納容器を手探りで探し出し、片手で持ちながら収納容器の蓋を開き、材具を取り出すなどの煩瑣な作業が必要となり、不便であるばかりでなく収納容器自体を紛失する恐れがある。
【０００４】
および、前記携帯無線通信端末の使用時に、用件や数字を記録したり知らせなくてはならないことがあると、とっさに小型電子記録体や手帳やメモ用紙などの材具を片手で探し出す必要が起き、混乱を生ずる不具合がある。
【０００５】
又、身近に所持して居たい、写真や記念物といった個人的な所有物も、携行している携帯無線通信端末に装着することが出来ず、やむを得ず他の収納場所に分離保存しなければならなくなる不具合も生ずる。
【０００６】
又、前記携帯無線通信端末と、前記材具もしくは前記収納容器とを、一つのケースに纏めて携行する際も、必要に応じて前記ケースを取り出し、更に当該通信端末を前記ケースから取り出さねばならず、不便であり、その度に前記材具もしくは前記収納容器と別々に離れてしまうので、前記材具を必要とする場合、改めて別に離れたケースから探り出さなければならないなどの不具合が生ずる。
【０００７】
又、前記携帯無線通信端末の外装に、メモ用紙などの材具を直接貼り付け装着した場合、何ら保護されていない為に、当該通信端末を取り扱う際、前記材具が手や衣服などに触れて、汚れるか、剥離してしまうか、破損してしまう欠点がある。
【０００８】
又、前記携帯無線通信端末の内部に収納スペースを設けると、その分、内部の構造体を圧迫し、結果として当該通信端末が大きくなり、内部構造も複雑となり、前記材具を出し入れすることによって当該通信端末に余計な負荷をかける原因にもなり、前記材具を必要としない使用者に対しても前記収納スペース保持を既定してしまうという不具合がある。
【０００９】
さらに軸状の連結具の接着面積が少ない上に、装着先の携帯端末から飛び出しているために剥がれ易く、回動するメモ紙ホルダー板が一点のみで係止しており、不安定で携帯端末の出し入れなど取り扱い時に引っ掛かるなどして、破損する可能性があり、携帯端末の使用上、却って不便を生ずる恐れがある。
【００１０】
【課題を解決するための手段】
本考案は、これらの課題を解決するためになされたものであり、ヒンジを介在して蓋つなぎ部につながれた蓋と、蓋つなぎ部から延在する材具収納部と蓋止め部とを具え、携帯無線通信端末の外側面に付設又は装着することにより、小型電子記録体、写真、紙などの材具を当該通信端末と一体にして携行可能にすると共に、当該通信端末を使用するにあたり、周囲に引っかかりにくく、邪魔にならず、前記材具を汚染や破損から保護し、さらに片手でも簡単に出し入れすることができるコンパクトな蓋付き材具収納具を提供することを目的とする。
【００１１】
上記課題を解決するために、本考案の蓋付き材具収納具は、薄い蓋と、蓋の縁部の一辺と蓋つなぎ部とを回動可能に結ぶヒンジ部と、蓋つなぎ部と、蓋つなぎ部から延在する底面部と蓋止め具より成る、材具収納部で構成し、あるいは、前記材具の破損、紛失の防止を一層確実にするために、前記収納部の縁に材具保護縁部を付設し、又、当該材具保護縁部の高さを、前記材具の収納に要する高さの限度近くに迄縮めて前記材具収納具の総高さが増す原因となることを回避し、さらに、可撓性を有するシート状の蓋の場合は、蓋の開閉部分の裏面に近在して、接着層又は装着具を設け、前記材具収納部の、前記蓋に設けた接着層又は装着具に接する個所に、前記材具の厚みに近い厚さを有する、パッド形の蓋止め部を配設し、前記蓋が、ほぼ前記材具に近い高さを保ちつつ、当該蓋止め部に係止可能にすることにより、前記材具を外方からの圧力から保護し、前記蓋付き材具収納具における前記蓋の材質に拘わらず、前記材具の収納、保護を、容易かつ完全に行える、蓋付き材具収納具を提供する。
【００１２】
こうすることにより、前記蓋付き材具収納具の高さを、蓋付きであっても可能な限り低くでき、更に前記蓋の材質が、プラスチック、金属、厚紙、木材などの周縁加工が可能な材質の部材である場合は、外側周縁にＲを付けて角当たりを防ぎ、又、前記蓋付き材具収納具の外形を、当該通信端末の外形より小さくすることも合わせて、邪魔にならない形でありながら前記材具を保護する機能を具え、底面部を当該通信端末の外側面に接着し、又は面ファスナーなどの装着具を用いて装着し、又は当該通信端末の外側面に隆起状に付設することにより、前記材具を、当該通信端末と一体で携行可能にすることを特徴とする。
【００１３】
このように構成することによって、当該材具収納具を携帯無線通信端末に装着又は付設した場合でも、当該通信端末の使用に際して周囲に引っ掛かるなど、把握、保持を阻害することなく前記材具を保護し、蓋の紛失を防止し、前記材具と当該通信端末とを一体にして携行することができる。
【００１４】
あるいは、本考案の蓋付き材具収納具は、前記材具を収納する材具収納部において、前記材具を載せる部分に底面部が無く、当該材具収納具を装着する先の携帯無線通信端末の外側面を底面部に利用する構造とする。
【００１５】
この構造とすることにより、本来前記収納部の底面部に相当する肉厚の厚さ分を削ることが出来、結果として当該材具収納具の高さを低く抑えられ、より薄く、装着携行に便利な蓋付き材具収納具を提供することが可能になる。
【００１６】
次なる、本考案の蓋付き材具収納具は、前記材具を収納する材具収納部において、前記材具を載せる部分を含む底面部に薄肉の底面を構成し、底面部と前記材具保護縁部の、前記装着する先の携帯無線通信端末外側面に向く側と、前記携帯無線通信端末の外側面との間に接着剤層又は面ファスナーなどの装着具を設けることにより、装着面を広くし、装着強度を高めた、剥脱しにくい蓋付き材具収納具を提供する。
【００１７】
さらに、好適な本考案の蓋付き材具収納具は、蓋にフィルム、シート、紙、布などの可撓性を有する部材を用い、蓋および前記材具保護縁部の、それぞれ接する面のいずれか一方、又は双方に、剥離して開蓋でき、再接着可能にする接着剤もしくは装着具などの接着手段を具えて、蓋をめくり上がらせて開くように構成する。
【００１８】
こうすることにより、少ない力で開蓋が可能となり、開いた蓋は比較的柔らかい材質なので外力によって破損しにくく、当該通信端末使用時の障害となりにくい利点を有し、蓋のほぼ全周に渉って接着することにより、閉蓋時にゴミなどが入りにくい蓋付き材具収納具を提供することができる。
【００１９】
さらに好適な本考案の実施形態では、前記材具保護縁部を、厚紙、木材、金属、プラスチックなどの部材から必要に応じて適宜な部材を採用することにより、前記材具の紛失を防止し、保護能力を高めた安価な蓋付き材具収納具、又は自然志向に応じた前記材具収納具、又は電磁波などの障害からのシールド性を持たせ、より薄形に成した丈夫な前記材具収納具、又はカラフルで好ましいデザインによる前記材具収納具を提供する。
【００２０】
さらに、前記蓋が可撓性を有するフィルム又はシート又は金属箔又は紙又は布又は不織布などの薄い部材から成る場合、蓋を引き上げて開蓋する際、力余って、前記材具収納具を、接着又は装着している先の前記通信端末から、引き剥がしてしまう事態が発生する。
【００２１】
上記課題を解決するために、本考案の蓋付き材具収納具は、前記蓋の端部と、前記収納部の前記底面部を、共に延長させ、合わせ接着して前記蓋つなぎ部と成し、接着の最初の個所である、蓋の回動部を境にして前記収納部および底面部と対称する側、すなわち反対側に延在し、当該蓋つなぎ部を、前記底面部と共通する面に接着又は装着する。
【００２２】
こうすることにより、前記蓋が強く引き上げられても、底面部の抵抗力と前記蓋つなぎ部の抵抗力が双方面から働き、前記材具収納具の剥離を防止することが可能になる。
【００２３】
次なる実施形態においては、前記蓋と前記収納部が前記蓋つなぎ部を介在して互いに連続又は連結した状態となっており、当該蓋と当該収納部に挟まれた状態で前記材具が収納される。又、前記蓋の開閉側付近の裏面には、接着層又は装着具が展在している。前記材具は、複数枚の紙又はプラスチックなどのシート状の部材を積層状に重ね、一辺もしくは一部を接着又は他の部材により貼着するか、金具などによってかしめ、結束部とする。当該材具を当該材具収納部に、前記結束部を前記蓋の開閉側の裏面に当接する位置に置き、底面を当該材具収納部に固定する。
【００２４】
この構成において蓋を閉じると、前記蓋の開閉側の裏面には接着層又は装着具が展在しているので、前記蓋は前記結束部近辺に係止し、前記結束部と連結状態になって止まり、不用意に開蓋することはない。前記蓋を引き上げ係止を外せば容易に開蓋し、前記シート状の部材から上の一枚を取り除いても、前記蓋は次の一枚に係止し、支障無く同様に閉蓋係止する。
【００２５】
さらなる、本考案の蓋付き材具収納具は、前記蓋の周辺に前記材具の縦もしくは横の幅より広く延在するフラップを具え、前記フラップの裏面であり前記収納部又は前記携帯無線通信端末の外側面に当接する面に、接着層又は装着具を展在させ、前記収納部には前記材具保護縁部が無く、前記フラップの係止により、前記材具の保護又は紛失を防止する。前記材具が前記収納部に連結固定してあれば、前記フラップは前記蓋の開閉側を含む一箇所に延在するのみで保護、防止できる。この構造では、前記材具の前記結束部の位置は何れの方向でも良い。前記フラップを前記開閉側に加え、左右の側面にも延在し係止することにより、まとまり難い材具でも保護および紛失防止が可能になる。さらに、これらの前記フラップの内、一方のみを開くか、除去すれば、前記材具を自由に出し入れ可能にするポケットとなる。前記蓋が比較的柔軟性があり、容易に曲折出来得る材質によって薄く形成することが可能の場合は、前記蓋を凸状に成形し、凸状部の周辺に前記フラップを連在し、前記凸状部内に前記材具を内包し、前記連在するフラップ、又は前記連在するフラップおよびさらに連なる蓋つなぎ部によって、前記収納部又は前記携帯無線通信端末の外側面に係止することにより、最も簡単な構造でありながら、ほぼ完全に前記材具を収納、保護、紛失防止する、蓋付き材具収納具を提供することができる（２９／３６頁、図１９参照）。
【００２６】
又、本考案の他の実施形態では、前記蓋から延在し、前記材具保護縁部に相対する断面Ｌ状の内面に、前記材具保護縁部に係合する突出部、又は長溝を設け、および前記材具保護縁部の前記蓋から延在する断面Ｌ状の内面に相対する面に係合する長溝、又は突出部を設け、前記蓋と前記保護縁部とが互いに係合しスライドして移動可能にすることにより開蓋でき、さらに前記蓋が開蓋しきった個所において、前記保護縁部から外れてしまわないよう、突出部又は突出部と凹部の組み合わせによる蓋係留部を設けることにより、前記材具の出し入れの際、蓋が上方にあおり上がることなく、したがって、開蓋時に蓋が外力によって損傷しにくく蓋の逸失を防止する形状を有する、蓋付き材具収納具を提供する。
【００２７】
又、前記蓋の一つの隅部と、前記材具収納部の一つの隅部とを、何れか一方が穴、他方が回転軸部で連結し、あるいは双方とも穴が明き、回転軸部材によって連結することにより、前記蓋が水平方向に回動して開閉するようにしても良い。
【００２８】
なお、前記蓋の端辺の一部に断面Ｌ字状の突出部を設け、前記蓋が閉蓋位置から一方向にのみ回動可能に構成し、閉蓋位置から逆方向には、前記断面Ｌ字状の突出部が妨げることによって、回動不能とすることが、前記蓋の安定上、さらに好ましい。
【００２９】
又、本考案のさらなる実施形態では、前記蓋の一方の辺を指の掛かる開閉側とし、開閉側の左右に位置する辺に、それぞれヒンジ部によって連結されたアームを相対させ、さらに当該アームの他方の先端を、前記蓋つなぎ部に別のヒンジ部を介して連結することにより前記蓋が当該アームによって移動距離を制限されるべく設定し、又さらに前記蓋の前記開閉側に直交する左右の辺の、前記開閉側に相対する辺の左右両端の近傍に前記蓋軸部を具え、蓋軸部に相対する側、すなわち前記蓋の前記開閉側に直交する左右の辺に相対する側に平行する長溝又はリブ状に形成された前記蓋軸部摺動サッシュを配設して、前記蓋軸部が前記蓋軸部摺動サッシュに係合し、離脱を規制されながら摺動することにより、前記蓋が移動し、および前記アームによる制限の為に前記蓋軸部が前記別のヒンジ部より遠ざかって摺動するに従い前記蓋が裏返り方向に回動し、さらに前記蓋軸部摺動サッシュの終端が、前記蓋開閉側近辺で前記蓋軸部の摺動を妨げない程度上方に、弓なりに曲がるように形成することにより、前記蓋軸部の摺動に導かれて前記蓋はほぼ１８０度まで裏返しに回動し、前記蓋付き材具収納具の占めるスペースより外側にはみ出さずに開蓋可能となり、開蓋時も蓋が前記収納部の占めるスペース上にほぼ収まって重なるので破損しにくく、コンパクトな状態を維持できる。
【００３０】
このように回動して開蓋する構造の蓋の裏側に、メモ用紙や備忘録、写真などを装着しておくと、開蓋時に表側に向くことになり、メモや視認に便利で、しかも閉蓋にしたがって自動的に収納されるので簡単に保護することが可能になる。
【００３１】
さらに、本考案の蓋付き材具収納具は、前記収納部の、前記材具の逸失を防止し保護する機能を持つ、前記材具保護縁部の一部に切欠きを設け、当該切欠きを通って指や筆記具の先などを前記収納部内に差し入れ可能にして、収納されている比較的薄い材具も簡単に取り出せる構造とすることが好ましい。
【００３２】
なお、本考案の蓋付き材具収納具には、防水性、および防塵性を有する材質を用いることが好ましい。
【００３３】
【考案の実施の形態】
以下に図面にしたがって本考案の蓋付き材具収納具の実施形態を詳細に説明する。
図１〜図７は、本考案の蓋付き材具収納具の第１の実施形態を示す図であり、図１は、収納具を携帯無線通信端末に装着した状態を示す斜視図、図２は、蓋を開いて材具を収納している状態を示す図、図３は、収納具の構造および携帯無線通信端末との装着状態を示す断面図である。
図１に示すように、第１実施形態の収納具１は、薄形の、蓋１１と、蓋止め部１６とを具え、携帯無線通信端末２の外側に装着する。
【００３４】
収納具１は、図２に示すように、周縁が盆状の縁部１２に囲まれた薄い蓋１１が蓋を係留する蓋つなぎ部１４にヒンジ１３を介して係留され、蓋つなぎ部１４は、材具収納部１７に続いている。材具１８は、材具収納部１７に収納されると共に、材具保護縁部１５に囲まれ、保護されている。
【００３５】
収納具１は、図３の、長手方向の断面図に示すように、材具１８を載せる底面部１９を有し、携帯無線通信端末２の外側面に付設又は装着する。
【００３６】
図４、図５は第１実施形態の別の構成である。蓋１１は、収納具１の長手方向において、蓋つなぎ部１４によって回動可能に係留されている。その為に、蓋１１は収納具１の短手方向が開くようになり、開蓋時における蓋の突出が少なくなり、蓋の損傷の可能性を低くすることができる。開蓋時には、爪２０に指を掛けて蓋を蓋止め部１６から外す。
【００３７】
第１実施形態の更なる構成は、図６に示すように、蓋１１と材具収納部１７とが、ヒンジ部１３および蓋つなぎ部を介して回動可能に連結している。さらに、蓋１１の開閉側は蓋止め部１６によって、材具収納部１７に着脱可能に係止する。材具収納部１７には、紙などの連結係留可能で、紛失しにくい材具１８が収納されている。図７も同様の構成となっているが、蓋１１が、可撓性の、紙、プラスチック、金属箔、布など、シート状の材質で構成されているため、蓋１１の閉蓋状態における平面性維持と、材具１８の保護強化の目的により、材具収納部１７の面上に、材具１８の厚みに近い厚さのパッド状の蓋止め部１６ａを配設している。蓋１１の前記蓋止め部１６ａに向き合う面には、接着又は装着する蓋止め部１６を配設しており、閉蓋時は、前記蓋止め部１６ａに係止するようになっている。
【００３８】
収納具１の材質には、たとえばプラスチック、あるいは金属、木材などを好適に用いることが出来る。プラスチックを用いる場合は、蓋１およびヒンジ１３、蓋つなぎ部１４、材具保護縁部１５、材具収納部１７などを一体にして成形することが好ましい。こうすることによって、組立て工程を簡略化し、安価な蓋付き材具収納具を製造することができる。又、蓋１と蓋つなぎ部とが嵌め合わせによって連結する構造にしても良い。特に、一体成形によるヒンジが不可能なプラスチック材料の場合は、このような構造にするか、又は、針金などの金属によって連結することが好ましい。
さらに、金属を用いれば、より薄形で丈夫な、電磁波などからのシールド性を有する蓋付き材具収納具を提供することが可能になる。
【００３９】
図８、図９は、第２の実施形態を現わす断面図である。図８は、収納具１の長手方向における断面を示し、図９は、同じく短手方向における断面を示している。本考案は材具収納部１７に底面部１９が無く、携帯無線通信端末２の外側面２２を直接底面部に利用しており、底面部の厚さ分だけ内容積を大きくすることが可能になり、同じ投影面積において内容積を変えなければ、外側面２２から蓋１１の表面までの距離を縮められ、収納具の厚みを低くすることが可能になる。さらに、接着層又は装着具２１の展在する面積が狭くなることを補うために材具保護縁部１５の外側面２２に向いた面に張り出し部２３を設けることにより、接着又は装着強度を高めることができる。
【００４０】
さらに、第３実施形態に示すように、接着又は装着の強度を高くするには、図１０および図１１のように、収納具１の底面部１９と携帯無線通信端末２の外側面２２との間の接着層又は装着具２１を、底面部１９のほぼ前面に展在させれば良い。こうすることによって、接着強度を高められるばかりでなく収納具１の着脱を繰り返しても接着強度が劣りにくくなる。
【００４１】
本考案の第４の実施形態は、図１２、図１３に示す通り、蓋１１が、可撓性を有するフィルム又はシート又は紙又は布などの可撓性を有し、簡単に曲げられる材質で出来ており、蓋１１の裏面には、周辺に剥離可能の接着層２４を設け、材具保護縁部１５をやや幅広にして蓋１１の接着係止部２５としている。接着係止部２５は、接着層２４に対して固着し破損してしまわないよう、剥離剤などの保護材でコーティングすることが望ましい。又、接着層２４を材具保護縁部１５の面上に展在し、接着係止部２５を蓋１１の裏面としても良く、それぞれの一方を接着層２４に対して固着しにくい材質を用いても、同様の効果が得られる。さらに、接着層２４が蓋１１と材具保護縁部１５の双方の面に具えられても良い。又、接着層に代えて薄い装着具を用いることも可能である。このような材質および構造にすることによって、蓋１１は爪２０を指でつまみ引き上げるに従いめくりあがり、開かれ、上から押しつけるに従い、材具保護縁部１５に係止する。このような薄い部材の蓋にすることによって、より高さの低い、薄い蓋付き材具収納具を製造することが可能になる。図１４は蓋１１と底面部１９とを１枚の部材によって形成した構造の断面を示す。図示のように、蓋１１に加えて底面部１９も同様の薄い材質で構成し、材具保護縁部１５を挟みこむ構造とすることにより、より高さが低く、簡易に製造可能の、安価な蓋付き材具収納具を提供することができ、底面部１９の外側に予め接着層又は装着具２１を配することにより、既存の携帯無線通信端末にも自由に装着することができる。
【００４２】
なお、第５実施例では、図１４および図１６ａ、図１６ｂに示すように、蓋１１の一辺と、底面部１９の延長部分とを接着して蓋つなぎ部１４とすることにより、蓋１１をめくり上げる際、蓋が強く引っ張られても、蓋つなぎ部１４との接着部分１４ａで蓋の引張が止められ、その結果、接着層又は装着具２１の被力部分２１ａに引張力が及んでも、接着層又は装着具２１の延在部分２１ｂが剥離を阻止するので、収納具１が携帯無線通信端末２から外れることはない。収納具１を当該通信端末より外す場合、蓋つなぎ部１４から順次はがして行くことにより、容易に外せる利便も有する。これらの効果は、蓋１１と底面部１９が２枚の部材に分かれていても変わることはない。
【００４３】
本考案の、第６実施状態では、図１５（ａ），図１５（ｂ），図１５（ｃ），に示すように、蓋１１は蓋つなぎ部１４を介在して材具収納部１７に連結している。材具１８は、複数枚の紙又はプラスチックなどのシート状の部材が、結束部３３、３３ａにおいて接着もしくは他の部材によって貼着又は結束されている。結束部３３、３３ａは蓋１１の開閉側に位置し、材具１８の底面は材具収納部１７に固定されている。図１５の３３および３３ａは、それぞれ結束部分の違いを示している。さらに、蓋１１の開閉側の裏面に、接着層又は装着具による蓋止め部１６ｂが設けられており、蓋止め部６ｂは結束部３３，３３ａにほぼ接するように設定されている（図１５（ｂ）、（ｃ）参照）。そのため蓋止め部１６ｂを材具１８に接着すると結束部３３又は３３ａと蓋１１とが係止し、蓋１１が閉蓋状にロックされる。開蓋する際も、材具１８は結束されているので蓋１１に付いて上がってしまう事無く、蓋止め部１６ｂが材具１８から離れるだけなので、材具１８は安定して収納される。
【００４４】
さらなる、第７実施状態では、図１７ないし、図１９（２９／３６頁）を参照に供する。図１７および図１８において、蓋１１の周辺に材具１８の縦もしくは横の幅より広く延在するフラップ１１ａ、１１ｂを具え、フラップ１１ａ、１１ｂの裏面であり材具収納部１７又は携帯無線通信端末２の外側面２２に当接する面に、接着層又は装着具１６ｂ、１６ｃを展在させ、材具収納部１７には材具保護縁部（図２（１５）参照）が無く、フラップ１１ａ、１１ｂが係止して、材具１８の保護又は紛失を防止する。材具１８が材具収納部１７に連結固定してあれば、フラップ１１ａ、１１ｂは蓋１１の開閉側を含む一箇所に延在するのみで保護、防止できる。この構造では、材具１８のｂ結束部３３又は３３ａの位置は何れの方向でも良い。フラップ１１ａ、１１を前記開閉側に加え、左右の側面にも延在し係止することにより、まとまり難い材具でも保護および紛失防止が可能になる。さらに、これらのフラップ１１ａ、１１の内、一方のみを開くか、除去すれば、材具１７を自由に出し入れ可能にするポケットとなる。蓋１１が比較的柔軟性があり、容易に曲折出来得る材質によって薄く形成することが可能の場合は、図１９に示すように蓋１１を凸状に成形し、前記凸状部の周辺にフラップ１１ｃを連在し、フラップ１１ｃの裏面に接着層又は装着具を展在し、前記凸状部内に材具１８を内包し、連在するフラップ１１ｃ、又は連在するフラップ１１ｃおよびさらに連なる蓋つなぎ部１４によって、材具収納部１７又は携帯無線通信端末２の外側面２２に係止することにより、最も簡単な構造でありながら、ほぼ完全に材具１８を収納、保護、紛失防止する、蓋付き材具収納具とする。
【００４５】
次に、図２０ないし図２２に基づいて本考案の第８実施形態を説明する。蓋１１の係留および開閉の構造は、第５実施形態では、蓋１１の相対する辺の材具保護縁部１５に向き合う側に延在して突出部２７を設け、材具保護縁部１５の外側にレール状突出縁２６を形成して、突出部２７とレール状突出縁２６を平行して相対させ、
蓋１１と材具保護縁部１５とを互いに嵌合させて係合し、蓋１１がレール状突出縁２６の延在方向にスライドすることにより開閉し（図２１、図２２参照）、蓋止め部１６に係止する構造となっている。蓋１１は、指掛け部２８を指で横に押すようにすれば容易に開閉可能で、開蓋状態でも蓋１１は携帯無線通信端末２の延在方向、すなわち、収納具１の水平方向に移動するので、邪魔にならず、破損しにくい。又、蓋１１を開蓋途中でも止めることが可能である。図２０ないし図２２は、蓋１１と材具保護縁部１５を含む材具収納部１７が、突出部２７とレール状突出縁２６とによって係合されているが、何れか一方に長溝を構成しても係合およびスライドでき、蓋１１にレール状突出縁２６、材具保護縁部１５に突出部２７を設けても同じ効果が得られる。突出部２７は、複数の連続する突起で構成されても良い。
【００４６】
同様に、蓋１１が収納具１の水平方向に移動する第９実施形態は、図２３に示す通り、収納具１が、蓋１１と材具収納部１７の相対する一部分において、軸部２９、あるいは軸棒３０による回転部で回動可能に連結された構造となっている。蓋１１は、図２４に示すように、蓋つなぎ部１４に続く軸部２９を中心にして水平方向に回動することにより開閉する。さらに、閉蓋位置において、蓋止め部１６が材具保護縁部１５に接して止まるので、蓋１１は蓋止め部１６の阻止を越えて回動することなく、閉蓋位置に安定する。図２４では、蓋止め部１６を収納具１の角部であり、蓋１１の角部である個所に具えている。こうすることにより、蓋１１を開閉する際、蓋止め部１６が材具保護縁部１５の角部に当たり、回動に対する抵抗力が働くことにより、クリックして蓋１１が不用意に開くことを防止する。図２５は、回転部の詳細な断面を示す。（ａ）は、蓋１１に明く蓋穴３０に、蓋つなぎ部１４から伸びる軸部２９が係止している。蓋穴３０は、蓋つなぎ部１４に近い方の直径が小さく離れた方の直径が大きく、段差を形成しており、蓋穴３０に嵌合する軸部２９の先端部は、蓋穴３０の小さい方の直径より大きく形成されている。故に、軸部２９は蓋１１を係止して外れることがない。（ｂ）は、蓋つなぎ部１４に係止穴３１が明いており、蓋１１に近い方の直径が小さく離れた方の直径が大きく、段差を形成しており、係止穴３１に嵌合する軸部２９の先端部は、係止穴３１の小さい方の直径より大きく形成されている。故に、軸部２９は蓋つなぎ部１４および底面部１９を係止して外れることがない。（ｃ）は、蓋穴３０と、係止穴３１とを、軸棒３１が貫通し、回動可能に係留している。軸棒３１の両端部は、それぞれ蓋穴３０および係止穴３１の小さい方の直径より大きく形成されている。故に、軸棒３１は蓋１１と、蓋つなぎ部１４および底面部１９を係止して外れない。軸部２９又は軸棒３１を蓋穴３０又は係止穴３１に係止するには、軸部２９又は軸棒３１の直径の大きい部分を、部材の弾性を利用して無理に嵌め込むか、軸部２９又は軸棒３１に割ピン状のスリットを設け、生ずる弾性によって、蓋穴３０又は係止穴３１の小さい方の直径をくぐり抜け、反発して開くことにより係止する。軸部２９又は軸棒３１に直径の大きい部分を設けず、蓋穴３０又は係止穴３１の小さい方の直径を貫通後、先端部を、圧力、又は加熱により、かしめて係止すれば、蓋１１と蓋つなぎ部１４間を緊密に係留することができる。
【００４７】
又、図２６ないし図３０を参照して本考案の第１０実施形態を説明する。図２６ないし図３０では、蓋１１の一方の辺を、指掛け開閉側３４とし、指掛け開閉側３４の左右に位置する辺に、それぞれヒンジ部３５によって連結された一対のアーム３６を可動状に相対させ、さらにアーム３６の他方の先端を、蓋つなぎ部１４に別のヒンジ部３７を介して連結することにより、蓋１１がアーム３６によって移動距離が制限され、又さらに蓋１１の指掛け開閉側３４に直交する左右の辺の、指掛け開閉側３４に相対する辺の左右両端の近傍に蓋軸部３８を具え、蓋軸部３８に相対する側、すなわち蓋１１の指掛け開閉側３４に直交する左右の辺に相対する側に平行する長溝又はリブ状の蓋軸部摺動サッシュ３９を配設して、蓋軸部３８が蓋軸部摺動サッシュ３９に係合し規制されながら摺動することにより蓋１１が移動し、およびアーム３６による制限の為に蓋軸部３８が別のヒンジ部３７より遠ざかって摺動するに従い蓋１１が裏返り方向に回動し、さらに蓋軸部摺動サッシュ３９の終端４０が指掛け蓋開閉側３４近辺で蓋軸部３８の摺動を妨げない程、上方に弓なりに曲がるように形成することにより、蓋軸部３８の摺動に導かれて蓋１１はほぼ１８０度まで裏返しに回動し、蓋付き材具収納具１の占めるスペースより外側にはみ出さずに開蓋可能となり、開蓋時も蓋が材具収納部１の占めるスペース上にほぼ収まって重なるので破損しにくく、コンパクトな状態を維持できる。
【００４８】
又さらに、第１１実施状態では、図２７ないし図３０に示すように、回動して開蓋する構造の蓋１１の裏側に、メモ用紙や備忘録、写真などの材具１８を装着しておくと、開蓋時に表側に向くことになり、メモや視認に便利で、しかも閉蓋にしたがって自動的に収納されるので簡単に保護できる。
【００４９】
本考案の第１２実施状態は、図２、図３、図５、図１３に示すように、材具保護縁部１５の一部に切り欠き４１を設けることによって、材具収納部１７に収納されている材具１８を指などを外から差し入れ、取り出し易くする。材具１８が小型電子記録体のような薄い材質からできている場合は、特に有効である。
【考案の効果】
上述した通り、本考案の蓋付き材具収納具によれば、小型電子記録体や写真、メモ用紙などの材具が外部より保護され、破損する恐れなく携帯無線通信端末に付属し携行できる。本考案の結果、これらの小さな材具の紛失を防止し、他の場所から探し出す不都合を解消し、当該通信端末の利便性を高め、アクセサリーとなることによりデザインが向上する。又、当該材具収納具の裏面には当該通信端末の外側面に係止する接着層又は装着具を具えており、既製の携帯無線通信端末に取り付けられ、自由に取り外すことができ、当該通信端末を損なわずに用いることができる。さらに、材具の収納と取り出しに際して、片手で操作でき、開蓋時の蓋の逸失を防止するために蓋を係留し、材具の好適な利用と当該通信端末の利用上の阻害を防止するために材具の紛失防止だけでなく、蓋と材具との係止、および蓋の開閉方法を改良し、底面部を無くし、薄いシート状の部材による蓋の係止の工夫などの薄型化の考案も加え、邪魔にならず、利便性を有する蓋付き材具収納具を提供することができる。なお、本考案にかかる蓋付き材具収納具は、携帯無線通信端末のみならず、他の何れの機器、壁面に対しても、装着可能であれば利用できることは言うまでも無い。
【図面の簡単な説明】
【図１】図１は、本考案の蓋付き材具収納具の第１実施形態の構成を示す図である。
【図２】図２は、本考案の蓋付き材具収納具の第１実施形態の構成を示す図である。
【図３】図３は、本考案の蓋付き材具収納具の第１実施形態における、断面図である。
【図４】図４は、本考案の蓋付き材具収納具の第１実施形態の構成の他の例を示す図である。
【図５】図５は、本考案の蓋付き材具収納具の第１実施形態の構成の他の例を示す図である。
【図６】図６は、本考案の蓋付き材具収納具の第１実施形態の構成の他の例を示す図である。
【図７】図７は、本考案の蓋付き材具収納具の第１実施形態の構成の他の例を示す図である。
【図８】図８は、本考案の蓋付き材具収納具の第２実施形態の構成を示す断面図である。
【図９】図９は、本考案の蓋付き材具収納具の第２実施形態の構成を示す断面図である。
【図１０】図１０は、本考案の蓋付き材具収納具の第３実施形態の構成を示す断面図である。
【図１１】図１１は、本考案の蓋付き材具収納具の第３実施形態の構成を示す断面図である。
【図１２】図１２は、本考案の蓋付き材具収納具の第４実施形態の構成を示す図である。
【図１３】図１３は、本考案の蓋付き材具収納具の第４実施形態の、蓋の係止部および開閉を示す図である。
【図１４】図１４は、本考案の蓋付き材具収納具の第５実施形態の構成を示す断面図である。
【図１５ａ】図１５ａは、本考案の蓋付き材具収納具の第６実施形態の構成を示す図である。
【図１５ｂ】図１５ｂは、本考案の蓋付き材具収納具の第６実施形態の構成を示す図である。
【図１５ｃ】図１５ｃは、本考案の蓋付き材具収納具の第６実施形態の構成を示す断面図である。
【図１６ａ】図１６ａは、本考案の蓋付き材具収納具の第６実施形態の構成、および第５実施形態の構成を示す図である。
【図１６ｂ】図１６ｂは、本考案の蓋付き材具収納具の第６実施形態の構成、および第５実施形態の構成を示す断面図である。
【図１７ａ】図１７ａは、本考案の蓋付き材具収納具の第７実施形態の構成を示す図である。
【図１７ｂ】図１７ａは、本考案の蓋付き材具収納具の第７実施形態の構成を示す図である。
【図１８】図１８は、本考案の蓋付き材具収納具の第７実施形態の構成の、他の例を示す図である。
【図１９】図１９は、本考案の蓋付き材具収納具の第７実施形態の構成の、他の例を示す図である。
【図２０】図２０は、本考案の蓋付き材具収納具の第８実施形態の構成を示す図である。
【図２１】図２１は、本考案の蓋付き材具収納具の第８実施形態の構成を示す断面図である。
【図２２】図２２は、本考案の蓋付き材具収納具の第８実施形態の構成を示す図である。
【図２３】図２３は、本考案の蓋付き材具収納具の第９実施形態の構成を示す図である。
【図２４】図２４は、本考案の蓋付き材具収納具の第９実施形態の構成を示す図である。
【図２５ａ】図２５ａは、本考案の蓋付き材具収納具の第９実施形態における、蓋つなぎ部から伸びる軸部が蓋に係止している断面図である。
【図２５ｂ】図２５ｂは、本考案の蓋付き材具収納具の第９実施形態における、蓋から伸びる軸部が蓋つなぎ部に係止している断面図である。
【図２５ｃ】図２５ｃは、本考案の蓋付き材具収納具の第９実施形態において、蓋および蓋つなぎ部が他の軸棒によって係留されている断面図である。
【図２６】図２６は、本考案の蓋付き材具収納具の第１０実施形態の構成を示す図である。
【図２７】図２７は、本考案の蓋付き材具収納具の第１０実施形態の構成において、蓋があおり開く途中の図を示し、又、第１１実施状態の構成を示している。
【図２８】図２８は、本考案の蓋付き材具収納具の第１０実施形態の構成において、蓋軸部および蓋軸部摺動サッシュの係合状態と、アームの作動状態を示している。
【図２９】図２９は、本考案の蓋付き材具収納具の第１０実施形態の構成において、蓋があおり開き、上向いた図を示し、又、第１１実施状態の構成を示している。
【図３０】図３０は、本考案の蓋付き材具収納具の第１０実施形態の構成において、蓋があおり開き、上向いた状態の断面図である。
【符号の説明】
１　　　　　材具収納具
２　　　　　携帯無線通信端末
１１　　　　蓋
１２　　　　縁部
１３　　　　ヒンジ部
１４　　　　蓋つなぎ部
１４ａ　　　接着部分
１５　　　　材具保護縁部
１６　　　　蓋止め部
１６ａ　　　パッド状の蓋止め部
１６ｂ　　　蓋止め部
１６ｃ　　　蓋止め部
１７　　　　材具収納部
１８　　　　材具
１９　　　　底面部
２０　　　　爪
２１　　　　接着層又は装着具
２１ａ　　　被力部分
２１ｂ　　　延在部分
２２　　　　携帯無線通信端末の外側面
２３　　　　張り出し部
２４　　　　接着層
２５　　　　接着係止部
２６　　　　レール状突出縁
２７　　　　突出部
２８　　　　指掛け部
２９　　　　軸部
３０　　　　蓋穴
３１　　　　係止穴
３２　　　　軸棒
３３　　　　結束部
３３ａ　　　結束部
３４　　　　指掛け開閉側
３５　　　　ヒンジ部
３６　　　　アーム
３７　　　　別のヒンジ部
３８　　　　蓋軸部
３９　　　　蓋軸部摺動サッシュ
４０　　　　サッシュの終端
４１　　　　切り欠き
【図１】
0003099721.tif 000003
【図２】
0003099721.tif 000004
【図３】
0003099721.tif 000005
【図４】
0003099721.tif 000006
【図５】
0003099721.tif 000007
【図６】
0003099721.tif 000008
【図７】
0003099721.tif 000009
【図１９】
0003099721.tif 000010
【図８】
0003099721.tif 000011
【図９】
0003099721.tif 000012
【図１０】
0003099721.tif 000013
【図１１】
0003099721.tif 000014
【図１２】
0003099721.tif 000015
【図１３】
0003099721.tif 000016
【図１４】
0003099721.tif 000017
【図１５ａ】
0003099721.tif 000018
【図１５ｂ】
0003099721.tif 000019
【図１５ｃ】
0003099721.tif 000020
【図１６ａ】
0003099721.tif 000021
【図１６ｂ】
0003099721.tif 000022
【図１７ａ】
0003099721.tif 000023
【図１７ｂ】
0003099721.tif 000024
【図１８】
0003099721.tif 000025
【図２０】
0003099721.tif 000026
【図２１】
0003099721.tif 000027
【図２２】
0003099721.tif 000028
【図２３】
0003099721.tif 000029
【図２４】
0003099721.tif 000030
【図２５ａ】
0003099721.tif 000031
【図２５ｂ】
0003099721.tif 000032
【図２５ｃ】
0003099721.tif 000033
【図２６】
0003099721.tif 000034
【図２７】
0003099721.tif 000035
【図２８】
0003099721.tif 000036
【図２９】
0003099721.tif 000037
【図３０】
0003099721.tif 000038
【手続補正書】
【提出日】平成15年6月9日(2003.6.9)
【手続補正１】
【補正対象書類名】明細書
【補正対象項目名】実用新案登録請求の範囲
【補正方法】変更
【補正の内容】
【実用新案登録請求の範囲】
【請求項１】
蓋と、蓋を係留する蓋つなぎ部、および小型電子記録体、写真、紙などの材具を収納する材具収納部とを具え、
当該材具収納部の底面が、薄く，可撓性を有するフィルム状又はシート状の部材より成り、
携帯無線通信端末の外側面に付設、又は装着し、
当該携帯無線通信端末に前記材具を付随して携行可能にする構造であることを特徴とする、蓋付き材具収納具。
【請求項２】
前記材具収納部が、前記材具を保護する保護縁部で構成され、前記材具を載せる底面部が無く、
装着する先の携帯無線通信端末の外側面を直接底部となす、請求項１に記載する、蓋付き材具収納具。
【請求項３】
前記材具収納部が、底面部と材具保護縁部より成り、前記底面部および、又は、前記保護縁部と、装着する先の携帯無線通信端末の外側面との間に接着剤層又は装着具が介在する、蓋付き材具収納具。
【請求項４】
前記蓋が可撓性を有するフィルム又はシート又は金属箔又は紙又は布又は不織布から成り、
材具保護縁部の上面と蓋の裏面との間に剥離および再接着可能な接着手段もしくは装着手段を展在させて蓋の係止部となし、
蓋をめくり、開閉および係止する構造とする、請求項１ないし３に記載する、蓋付き材具収納具。
【請求項５】
前記蓋つなぎ部が、前記底面部の延長部分と、前記蓋の一辺とを接着して構成され、
当該接着部分が、前記蓋と前記底面部とが最初に接する個所を境にして、前記底面部と対称する側に延在し、および前記携帯無線通信端末の外側面に接着もしくは装着され、
開蓋時、前記蓋に引張力が加わる状態に至るとき、前記底面部と前記携帯無線通信端末の外側面との間に介在する接着もしくは装着に対し、引き剥がす力が及ぶ場合においても、前記蓋つなぎ部が前記引き剥がす力に抵抗する、接着もしくは装着した抵抗部分として働くことを特徴とする、請求項１ないし４に記載する、蓋付き材具収納具。
【請求項６】
前記蓋と、前記材具収納部が連続し、又は連結しており、前記材具が一部分を束ねた複数枚の紙又はフィルム状の部材から成り、
前記材具保護縁部が無く、
前記蓋の開閉側の前記材具に向く面に接着層を具え、前記束ねた部分が前記蓋の前記接着層下に近在し、
前記材具の底辺が前記材具収納部に係止し、
前記蓋の開閉側が前記材具に接着すると前記材具の前記束ねた部分と一体に係止し、閉蓋状態を保持する、請求項４および５に記載する、蓋付き材具収納具。
【請求項７】
前記蓋が、前記材具より広く、前記材具の外側に延在しており、
前記材具保護縁部が無く、
当該延在部と、前記材具収納部又は前記携帯無線通信端末との間に、接着層、もしくは装着具を介在し、
前記延在部が、前記材具収納部又は前記携帯無線通信端末に係止し、又は剥離して、前記蓋の開閉を可能にすることにより、
前記材具の収納、および保護、および出し入れを簡易にする、請求項５に記載する、蓋付き材具収納具。
【請求項８】
前記蓋の相対する側部と、材具保護縁部とが互いに係合し、前記蓋側部と、前記保護縁部の、係合する面のいずれか一方に突出部、他方に長溝を設け、
又は、双方の面に突出部もしくはレール状突出縁を設け、
前記蓋が、突出部又は長溝又はレール状突出縁の延在方向にスライドする構造である、請求項１ないし３に記載する、蓋付き材具収納具。
【請求項９】
前記蓋の一部分と、前記蓋つなぎ部が回転軸によって連結され、
蓋が水平方向に回動することで開閉可能にする、請求項１ないし３に記載する、蓋付き材具収納具。
【請求項１０】
少なくとも、前記蓋の四方に延在する辺のうち、一辺に開閉側を配し、
前記開閉側に直交する左右の辺に、相対するヒンジ部と、前記ヒンジ部に連結した一対のアームとを具え、
前記アームの、前記ヒンジ部に連結していない他方の先端から別のヒンジ部を介在して、
前記蓋つなぎ部又は前記材具収納部に連結し、
前記左右の辺の、前記開閉側に相対する辺の近傍に、左右に突出もしくは切り欠かれた蓋軸部を具え、
前記左右の辺の外側に、平行する蓋軸部摺動サッシュを配設し、
前記蓋軸部が、前記蓋軸部摺動サッシュに係合して摺動することにより、前記蓋が開閉し、更にあおり開いて、前記蓋の裏面が表面に向くことも可能となる、請求項１ないし３に記載する、蓋付き材具収納具。
【請求項１１】
前記蓋の裏側にメモ用部材を装着した、請求項１０に記載する、蓋付き材具収納具。
【請求項１２】
前記材具保護縁部の一部に前記材具取り出し用の切り欠きを設けた、請求項１ないし５、および請求項８、９に記載する、蓋付き材具収納具。
【手続補正２】
【補正対象書類名】明細書
【補正対象項目名】００１０
【補正方法】変更
【補正の内容】
【００１０】
【課題を解決するための手段】
本考案は、これらの課題を解決するためになされたものであり、ヒンジを介在して蓋つなぎ部につながれた蓋と、蓋つなぎ部から延在する材具収納部と蓋止め部とを具え、携帯無線通信端末の外側面に付設又は装着することにより、小型電子記録体、写真、紙などの材具を当該通信端末と一体にして携行可能にすると共に、底面を薄いフィルム状又はシート状の部材で構成することにより、前記材具収納部の容積を増すか、又は、容積を増さずに薄形に成し、および前記部材の可撓する効果により、なだらかな曲面に対しても装着が可能となり、当該通信端末を使用するにあたり、周囲に引っかかりにくく、邪魔にならず、前記材具を汚染や破損から保護し、さらに片手でも簡単に出し入れすることができる薄型の蓋付き材具収納具を提供することを目的とする。


【手続補正３】
【補正対象書類名】明細書
【補正対象項目名】００３５
【補正方法】変更
【補正の内容】
【００３５】
収納具１は、図３の、長手方向の断面図に示すように、材具１８を載せる薄いフィルム状又はシート状の部材から成る底面部１９を有し、携帯無線通信端末２の外側面に付設又は装着する。


【手続補正４】
【補正対象書類名】明細書
【補正対象項目名】図３
【補正方法】変更
【補正の内容】
【図３】
0003099721.tif 000039